(57)【要約】【課題】顧客の意向に応じて、設計図を迅速にかつ正確に作成できる設計システムを提供すること。【解決手段】設計システムは、建物の平面図を部品を用いて設計する平面図設計手段３２１，３２２を有し、この平面図設計手段３２１，３２２は、平面図上に配置可能な部品が選択されると、この選択された部品の属性を含む部品情報を平面図上に表示する部品情報表示手段４１と、属性のうち少なくとも１つについて選択可能な複数の仕様を選択リストとして表示する選択リスト表示手段４２と、この選択リストの中から１つの仕様が選択されると、この選択された仕様を含んで属性を設定する部品情報設定手段４３と、この設定された部品情報に基づいて部品形状を平面図上に図形表示する部品図形表示手段４４とを備えている。【選択図】図３
2004199613.tif 000002
【特許請求の範囲】
【請求項１】
建物の設計作業を支援する設計システムであって、
前記建物の平面図を部品を用いて設計する平面図設計手段を有し、
この平面図設計手段は、前記平面図上に配置可能な部品が選択されると、この選択された部品の属性を含む部品情報を平面図上に表示する部品情報表示手段と、前記属性のうち少なくとも１つについて選択可能な複数の仕様を選択リストとして表示する選択リスト表示手段と、この選択リストの中から１つの仕様が選択されると、この選択された仕様を含んで属性を設定する部品情報設定手段と、この設定された部品情報に基づいて部品形状を前記平面図上に図形表示する部品図形表示手段とを備えていることを特徴とする設計システム。
【請求項２】
請求項１に記載の設計システムにおいて、
前記部品情報には、前記部品に付属する付属部品についての部品情報が含まれることを特徴とする設計システム。
【請求項３】
請求項１または２に記載の設計システムにおいて、
前記属性のうち少なくとも１つは、予め標準指定された標準仕様で初期設定されていることを特徴とする設計システム。
【請求項４】
建物の設計作業を支援する設計方法であって、
前記建物の平面図を部品を用いて設計する平面図設計手順を有し、
この平面図設計手順は、前記平面図上に配置可能な部品が選択されると、この選択された部品の属性を含む部品情報を平面図上に表示する部品情報表示手順と、前記属性のうち少なくとも１つについて選択可能な複数の仕様を選択リストとして表示する選択リスト表示手順と、この選択リストの中から１つの仕様が選択されると、この選択された仕様を含んで属性を設定する部品情報設定手順と、この設定された部品情報に基づいて部品形状を前記平面図上に図形表示する部品図形表示手順とを備えていることを特徴とする設計方法。
【請求項５】
請求項４に記載の設計方法において、
前記部品情報には、前記部品に付属する付属部品についての部品情報が含まれることを特徴とする設計方法。
【請求項６】
請求項４または５に記載の設計方法において、
前記属性のうち少なくとも１つは、予め標準指定された標準仕様で初期設定されていることを特徴とする設計方法。
【請求項７】
請求項４から６のいずれかに記載の設計方法を、コンピュータに実行させるためのプログラム。
【請求項８】
請求項４から６のいずれかに記載の設計方法を、コンピュータに実行させるためのプログラムを記録したコンピュータ読取可能な記録媒体。
【発明の詳細な説明】
【０００１】
【発明の属する技術分野】
本発明は、建物の設計作業を支援する設計システム、設計方法、コンピュータプログラムおよび記録媒体に関する。
【０００２】
【背景技術】
従来より、様々な工業製品について、部品を規格化して大量生産することにより、コストの削減や工期の短縮が図られている。その一方で、近年のニーズの多様化に伴い、製品に顧客の意向を最大限に反映させることが要請されている。
例えば、プレハブ住宅は、上述した大量生産のメリットを維持しつつ、建物の外観や間取りに顧客の意向を最大限に反映させるため、次の手順で建築される。
【０００３】
顧客は、プレハブ住宅の設計および施工を行うディーラ（発注者）と打合せを行い、自らが求めるレイアウトや設備等の仕様をまとめた設計図を作成させる。具体的には、ディーラには、専門知識を有する一級建築士等の営業担当者が配置されており、実際には、この営業担当者が顧客と打合せを行う。営業担当者は、顧客の意向に従って建物を構成する各部品の仕様情報を決定し、この仕様情報に基づいて、ＣＡＤシステム等を設計図を作成して積算を行う。顧客は、営業担当者から提示された設計図および見積もりを検討し、ディーラと契約する。
【０００４】
顧客との契約が完了すると、ディーラは、各部品の仕様情報に基づいて、メーカ（製造者）にプレハブ住宅の部品を発注する。メーカは、部品を製造して建築現場に運搬する。ディーラの施工担当者は、メーカから部品を受け取り、仕様情報に従ってプレハブ住宅を建築し、顧客に引き渡す。
【０００５】
【特許文献１】
特開２００２−２３６７１６
【０００６】
【発明が解決しようとする課題】
ところで、専門的知識を有するディーラの営業担当者が顧客に対応しても、顧客の意向を設計図として表現することは容易ではないため、打合わせが数ヶ月に亘って多数回行われることがある。この場合、顧客との打合わせ毎に、ＣＡＤシステム等を利用して設計図が作成される（例えば、特許文献１参照）。よって、１件の契約成立までに多量の設計図を作成することになる。
しかしながら、各部品の仕様を変更する度に、この変更に対応して設計図も変更するため、設計図の作成に時間がかかるうえに、設計図の作成ミスが生じる可能性があった。
【０００７】
本発明の目的は、顧客の意向に応じて、設計図を迅速にかつ正確に作成できる設計システム、設計方法、コンピュータプログラムおよび記憶媒体を提供することにある。
【０００８】
【課題を解決するための手段】
上記目的を達成するため、本発明の設計システム、設計方法、コンピュータプログラムおよび記録媒体は、次の構成を採用する。
本発明を図面を参照して説明すると、請求項１に記載の設計システムは、建物１９の設計作業を支援する設計システム１であって、前記建物の平面図を部品を用いて設計する平面図設計手段３２１，３２２を有し、この平面図設計手段は、前記平面図上に配置可能な部品が選択されると、この選択された部品の属性を含む部品情報を平面図上に表示する部品情報表示手段４１と、前記属性のうち少なくとも１つについて選択可能な複数の仕様を選択リスト５４として表示する選択リスト表示手段４２と、この選択リストの中から１つの仕様が選択されると、この選択された仕様を含んで属性を設定する部品情報設定手段４３と、この設定された部品情報に基づいて部品形状を前記平面図上に図形表示する部品図形表示手段４４とを備えていることを特徴とする。
【０００９】
ここで、部品情報には、部品名称、数量、属性等が含まれる。属性とは、各部品を特定するための情報を意味し、色、寸法、製品番号等で構成されている。
この発明によれば、平面図を作成する際、オペレータが平面図上に配置しようとする部品を選択すると、この部品の属性を含む部品情報が表示される。次に、この属性のうち任意のものを選択すると、この選択された仕様について選択リストが表示されるので、この選択リストの中から１つの仕様を選択する。すると、この選択した仕様を含んで属性が設定され、この設定された部品情報に基づいて部品形状が平面図上に図形表示される。
したがって、表示された選択リストの中から仕様を選択する作業を行うだけで属性を指定できるから、部品情報を迅速に設定でき、設計図を迅速に作成できる。
また、１つの画面上で、部品情報を設定するとともに、この部品情報に基づいて部品形状を確認できるから、設計図を正確に作成できる。特に、顧客との打合せを繰り返すことにより部品情報を多数回変更しても、部品情報の変更を部品形状の変更として確実に反映できる。
【００１０】
請求項２に記載の設計システムは、請求項１に記載の設計システムにおいて、前記部品情報には、前記部品に付属する付属部品についての部品情報が含まれていることを特徴とする。
この発明によれば、部品だけでなく付属部品についても部品情報を一括して設定できるから、細かい部品についても仕様を設定し忘れることがなく、設計図作成時の手戻りを少なくして、設計図をさらに迅速に作成できる。
【００１１】
請求項３に記載の設計システムは、請求項１または２に記載の設計システムにおいて、前記属性のうち少なくとも１つは、予め標準指定された標準仕様で初期設定されていることを特徴とする。
この発明によれば、顧客の意向と標準仕様とを比較し、顧客の意向に反しない仕様についてはそのまま標準仕様を指定することにより、部品情報を迅速に設定して、設計時間を短縮できる。
【００１２】
請求項４から６のいずれかに記載の設計方法は、請求項１から３のいずれかに記載の設計システムを、設計方法として展開したものである。
この発明によれば、請求項１から３と同様の効果を奏することができる。
【００１３】
請求項７に記載のプログラムは、請求項４から６のいずれかに記載の設計方法を、コンピュータに実行させるプログラムである。
請求項８に記載の記録媒体は、請求項４から６のいずれかに記載の設計方法を、コンピュータに実行させるためのプログラムを記録したコンピュータ読取可能な記録媒体である。
この発明によれば、本発明のプログラムを汎用のコンピュータにインストールすることにより、請求項４から６のいずれかに記載の設計方法をディーラと等のコンピュータに実行させることができるため、本発明の利用促進を大幅に図ることができる。
【００１４】
【発明の実施の形態】
以下、本発明の一実施形態を図面に基づいて説明する。
図１には、顧客との契約から住宅の引き渡しまでの手続きが示されている。
ディーラ１０には、専門知識を有する一級建築士等の営業担当者１２が配置されている。営業担当者１２は、顧客１１との打合せを複数回行い、その都度、ＣＡＤシステム１で設計図を作成する。なお、この打合せでは、営業担当者１２のほか、顧客１１の意向を設計図に反映するために施工担当者が適宜同席する。顧客１１との契約完了後、営業担当者１２は、ＣＡＤシステム１で作成した最終設計図に従って、部品情報を書類またはインターネットを介してメーカの工場１８に送る。
工場１８では、部品情報に基づいて部品の確保、製造が行われ、製造された部品は建築現場に運搬される。
ディーラは、建築現場で部品を受け取り、仕様情報に従ってユニット式建物１９を建築する。
【００１５】
図２には、ＣＡＤシステム１のブロック図が示されている。
ＣＡＤシステム１は、直方体状の骨組を有する建物ユニットを複数組み合わせて形成されるユニット式建物について、顧客の要求に応じたユニット式建物の設計作業を支援するものである。
ＣＡＤシステム１には、本システムの核となるコンピュータ本体６と、ＣＲＴ表示装置２と、コンピュータ本体６等の操作を行うための入力装置３と、設計した平面図等を製図するＸ−Ｙプロッタ装置４と、設計した建物についてのデータ等を印字するプリンタ５とが設けられている。
【００１６】
コンピュータ本体６は、記憶装置であるハードディスク装置２０と、各種の処理を行う演算装置であるＣＰＵ３０とを含んで構成されたものである。
このうち、ハードディスク装置２０には、記憶される情報の属性毎に複数の記憶領域が設定されている。
これらの記憶領域としては、ユニット式建物を構築するための部品に関する部品データが蓄積された部品情報蓄積手段２１と、設計されたユニット式建物の部品、部材および工賃の価格等に関する価格データが蓄積された積算情報蓄積手段２２とが設けられている。
【００１７】
ＣＰＵ３０は、各種のソフトウェアがインストールされ、これらのソフトウェアを並列処理するマルチタスク機能を有するものである。
ＣＰＵ３０には、ソフトウェアにより、部品情報蓄積手段２１に蓄積された部品データを用いて、ユニット式建物についての建物情報を設定する建物情報設定手段３１と、この建物情報に基づき、部品情報蓄積手段２１に蓄積された部品データを用いて、ユニット式建物の設計を行う設計手段３２と、この設計手段３２で設計したユニット式建物について、建物情報に基づいて積算情報蓄積手段２２に蓄積された価格データを用いて積算する積算手段３３とが設けられている。
【００１８】
なお、ＣＰＵ３０には、以上の手段３１〜３３のほかに、部品情報蓄積手段２１および積算情報蓄積手段２２に蓄積されたデータの入出力を管理するとともに、建物情報設定手段３１で作成された建物情報の管理や、設計手段で設計された設計データの管理を行う情報管理手段３４が設けられている。
【００１９】
建物情報設定手段３１には、鑑情報設定手段３１１と、積算固有データ設定手段３１２と、ディーラ固有データ設定手段３１３とが設けられている。
鑑情報設定手段３１１は、ユニット式建物の周辺情報を設定するものである。例えば、顧客の氏名、建築地等の顧客情報や、ディーラの名称、施工担当者名、営業担当者名等の関係者情報を設定するものである。
積算固有データ設定手段３１２は、ユニット式建物の構造に関する積算用のデータを設定するものである。例えば、外壁、内壁、天井、床等の構造や、その構造材の発注の有無を設定するものである。
ディーラ固有データ設定手段３１３は、通常は工場で手配する各部品を、例外的にディーラで準備する場合にその設定を行うものである。
【００２０】
設計手段３２には、１階平面図設計手段３２１と、２階平面図設計手段３２２と、立面図設計手段３２３とが設けられている。１階平面図設計手段３２１および２階平面図設計手段３２２は、部品情報蓄積手段２１に蓄積された部品データを読み出し、読み出した部品を組み合わせて平面図を設計するものであり、立面図設計手段３２３は、部品情報蓄積手段２１に蓄積された部品データを読み出し、読み出した部品を組み合わせて立面図を設計するものである。
ここで、１階平面図設計手段３２１および２階平面図設計手段３２２には、図３に示すように、部品情報表示手段４１と、選択リスト表示手段４２と、部品情報設定手段４３と、部品図形表示手段４４とが設けられている。
【００２１】
部品情報表示手段４１は、平面図上に配置可能な部品が選択されると、この選択された部品の部品情報を平面図上に表示するものである。このような部品としては、具体的には、バルコニー、庇等のエクステリア、玄関、外部サッシ、内部建具等の建具、階段、壁床仕上等の内装材、厨房、バス、洗面等の設備、家具、カーテン等のインテリアが挙げられる。
【００２２】
また、部品情報には、上述した選択された部品に付属する付属部品についての部品情報が含まれるようになっている。この付属部品としては、例えば、引き違いサッシにおけるガラス、網戸、シャッタ、建具におけるドアノブや戸当たり、内装材における廻り縁、等が挙げられる。
さらに、部品情報には、部品および付属部品を具体的に特定するための属性が含まれる。属性としては、色、寸法、製品番号等が挙げられるが、これら属性は、予め標準指定された標準仕様で初期設定されている。
【００２３】
選択リスト表示手段４２は、属性のうち少なくとも１つについて選択可能な仕様を選択リストとして表示するものである。
部品情報設定手段４３は、選択リストの中から１つの仕様が選択されると、この選択された仕様を含んで属性を設定するものである。
部品図形表示手段４４は、部品情報設定手段４３で設定された部品情報に基づいて部品形状を平面図上に図形表示するものである。
【００２４】
次に、ディーラの営業担当者１２がユニット式建物１９の１階平面図を設計する手順について、図４〜８を参照しながら説明する。なお、２階平面図についても、同様の手順で設計する。
図４は、１階平面図設計手段３２１を起動させて、１階平面図５１がＣＲＴ表示装置２の画面中央に表示されるとともに、この１階平面図５１上に配置可能な部品の部品階層メニュー５２が画面左側に表示される。１階平面図５１は、外壁および内壁の作図が完了した状態となっている。
【００２５】
この状態から、任意の部品（ここでは、引き違いサッシ）を配置する手順について説明する。
部品階層メニュー５２の中から、「引き違いサッシ」をマウスで選択してクリックすると、図５に示すように、部品情報表示手段４１によって、部品情報欄５３が画面下側に表示される。
この部品情報欄５３には、部品表示欄５３１および付属部品表示欄５３２が縦軸に配列されている。
部品表示欄５３１には、部品階層メニュー５２から選択された「引き違いサッシ」が表示されている。付属部品表示欄５３２には、この「引き違いサッシ」の付属部品として「ガラス」、「網戸」、「シャッター」、「引窓枠」が表示されている。
そして、部品および付属部品について、「子」、「有無」、「数量」のほか、各部品および付属部品を具体的に特定するための属性欄５３３が横軸に配列されている。この属性欄５３３には、属性として「サッシタイプ」、「サッシ仕様」、「サッシサイズ」、「外建色（外）」、「内部枠色」、「造作色」、「グレード」、「耐火区分」、「沿岸仕様」、「内建色（内）」、「固有属性」が表示されている。
【００２６】
部品情報欄５３に表示された項目は、予め標準指定された標準仕様で初期設定されているが、このうち、オペレータによる仕様の選択が必要なものは、「未選択」として水色で表示される（図５中四角枠で示す）。なお、図示しないが、任意に選択してよいものは、「任意選択」として黄色で表示される。これにより、仕様の設定が必要な項目について、オペレータが視覚的に認識しやすいようになっている。
【００２７】
ここで、例えば、「シャッター」の「沿岸仕様」の項目５３Ａを選択すると、図６に示すように、選択リスト５４が表示される。選択リスト５４には、「標準」「沿岸仕様」とが表示されており、例えば、選択リスト５４の「沿岸仕様」をオペレータが選択すると、部品情報設定手段４３によって、この選択された「沿岸仕様」が「シャッター」の部品情報として設定される。
【００２８】
以上のように、全ての「未選択」の項目について仕様を設定すると、部品図形表示手段４４によって、図７に示すように、設定された部品情報に基づいて引き違いサッシ５６が平面図上に図形表示される。この引き違いサッシ５６をマウスで押さえながら移動させて、外壁または内壁のうち任意の位置に移動して配置する。
以上の手順を繰り返すことにより、各部品を配置して１階平面図を設計する。
【００２９】
したがって、本実施形態によれば以下の効果がある。
（１）表示された選択リスト５４の中から仕様を選択する作業を行うだけで属性を指定できるから、引き違いサッシ５６の部品情報を迅速に設定でき、設計図を迅速に作成できる。
また、１つの画面上で、引き違いサッシ５６について部品情報を設定するとともに、この部品情報に基づいて部品形状を確認できるから、設計図を正確に作成できる。特に、顧客との打合せを繰り返すことにより部品情報を多数回変更しても、部品情報の変更を部品形状の変更として確実に反映できる。
【００３０】
（２）「引き違いサッシ」の部品情報に、付属部品である「ガラス」、「網戸」、「シャッター」、「引窓枠」についての部品情報を含めたので、部品だけでなく付属部品についても部品情報を一括して設定できるから、細かい部品についても仕様を設定し忘れることがなく、設計図作成時の手戻りを少なくして、設計図をさらに迅速に作成できる。
【００３１】
（３）属性を予め標準指定された標準仕様で初期設定したので、顧客の意向と標準仕様とを比較し、顧客の意向に反しない仕様についてはそのまま標準仕様を指定することにより、部品情報を迅速に設定して、設計時間を短縮できる。
【００３２】
なお、本発明は前記実施形態に限定されるものではなく、本発明の目的を達成できる範囲での変形、改良等は本発明に含まれるものである。
例えば、本実施形態では、ユニット工法で建築されるユニット式建物１９を設計したが、これに限らず、パネル工法、在来工法で建築される建物に用いてもよい。
【００３３】
【発明の効果】
本発明の設計システム、設計方法、コンピュータプログラムおよび記録媒体によれば、次のような効果が得られる。
請求項１に記載の設計システムによれば、平面図を作成する際、オペレータが平面図上に配置しようとする部品を選択すると、この部品の属性を含む部品情報が表示される。次に、この属性のうち任意のものを選択すると、この選択された仕様について選択リストが表示されるので、この選択リストの中から１つの仕様を選択する。すると、この選択した仕様を含んで属性が設定され、この設定された部品情報に基づいて部品形状が平面図上に図形表示される。したがって、表示された選択リストの中から仕様を選択する作業を行うだけで属性を指定できるから、部品情報を迅速に設定でき、設計図を迅速に作成できる。また、１つの画面上で、部品情報を設定するとともに、この部品情報に基づいて部品形状を確認できるから、設計図を正確に作成できる。特に、顧客との打合せを繰り返すことにより部品情報を多数回変更しても、部品情報の変更を部品形状の変更として確実に反映できる。
【００３４】
請求項２に記載の設計システムによれば、部品だけでなく付属部品についても部品情報を一括して設定できるから、細かい部品についても仕様を設定し忘れることがなく、設計図作成時の手戻りを少なくして、設計図をさらに迅速に作成できる。
【００３５】
請求項３に記載の設計システムによれば、顧客の意向と標準仕様とを比較し、顧客の意向に反しない仕様についてはそのまま標準仕様を指定することにより、部品情報を迅速に設定して、設計時間を短縮できる。
【００３６】
請求項４から６のいずれかに記載の設計方法によれば、請求項１から３と同様の効果を奏することができる。
【００３７】
請求項７に記載のプログラムおよび請求項８に記載の記録媒体によれば、本発明のプログラムを汎用のコンピュータにインストールすることにより、請求項４から６のいずれかに記載の設計方法をディーラ等とのコンピュータに実行させることができるため、本発明の利用促進を大幅に図ることができる。
【図面の簡単な説明】
【図１】本発明の一実施形態に係る設計システムが用いられる手続きを示す図である。
【図２】前記実施形態に係る設計システムのブロック図である。
【図３】前記実施形態に係る設計システムの設計手段のブロック図である。
【図４】前記実施形態に係る部品を選択する手順を説明するための図である。
【図５】前記実施形態に係る部品の部品情報欄が表示された状態を示す図である。
【図６】前記実施形態に係る部品の仕様を選択する手順を説明するための図である。
【図７】前記実施形態に係る部品が図形表示された状態を示す図である。
【符号の説明】
１      設計システム
１９      建物としてのユニット式建物
３２１      １階平面図設計手段
３２２      ２階平面図設計手段
４１      部品情報表示手段
４２      選択リスト表示手段
４３      部品情報設定手段
４４      部品図形表示手段
５４      選択リスト
【図１】
2004199613.tif 000003
【図２】
2004199613.tif 000004
【図３】
2004199613.tif 000005
【図４】
2004199613.tif 000006
【図５】
2004199613.tif 000007
【図６】
2004199613.tif 000008
【図７】
2004199613.tif 000009